(57)【要約】【課題】導電性の粒子を核に持ち、導電性に優れたナノ炭素材料複合体及びその製造方法を提供する。【解決手段】導電性粒子２と、導電性粒子２の表面に担持した遷移金属からなる触媒微粒子３と、触媒微粒子３上に成長したナノ炭素繊維４とからなる。酸素空孔を有する酸化亜鉛粒子２の表面に遷移金属触媒微粒子３を担持した酸化亜鉛粒子２を、炭化水素からなる気相中でナノ炭素繊維が合成される触媒反応温度に加熱し、酸化亜鉛粒子上にナノ炭素材料４を成長させる。【選択図】図１
2007246317.tif 000002
【特許請求の範囲】
【請求項１】
導電性粒子と、この導電性粒子の表面に担持した遷移金属からなる触媒微粒子と、この触媒微粒子を担持した導電性粒子上に成長したナノ炭素繊維とからなることを特徴とする、ナノ炭素材料複合体。
【請求項２】
前記導電性粒子は、酸素空孔を有した酸化亜鉛粒子であることを特徴とする、請求項１に記載のナノ炭素材料複合体。
【請求項３】
前記遷移金属からなる触媒微粒子は、Ｃｏ又はＮｉからなることを特徴とする、請求項１に記載のナノ炭素材料複合体。
【請求項４】
前記ナノ炭素繊維は、カーボンナノチューブ、カーボンナノフィラメント及びカーボンナノファイバーで成るグループから選択される何れか一つ又は複数であることを特徴とする、請求項１に記載のナノ炭素材料複合体。
【請求項５】
酸素空孔を有する酸化亜鉛粒子の表面に遷移金属触媒微粒子を担持した酸化亜鉛粒子を、炭化水素からなる気相中でナノ炭素繊維が合成される触媒反応温度に加熱し、上記酸化亜鉛粒子上にナノ炭素材料を成長することを特徴とする、ナノ炭素材料複合体の製造方法。
【請求項６】
前記気相中でのナノ炭素繊維の合成が、前記酸化亜鉛粒子を炭化水素からなる気相中で浮遊させて成長する方法であることを特徴とする、請求項５に記載のナノ炭素材料複合体の製造方法。
【請求項７】
前記遷移金属触媒微粒子はＣｏ又はＮｉからなることを特徴とする、請求項５に記載のナノ炭素材料複合体の製造方法。
【請求項８】
前記酸化亜鉛粒子の粒径は１００μｍ以下であることを特徴とする、請求項５に記載のナノ炭素材料複合体の製造方法。
【請求項９】
前記炭化水素はエチレンであることを特徴とする、請求項５又は６に記載のナノ炭素材料複合体の製造方法。
【請求項１０】
前記触媒反応温度は４００℃から７５０℃の温度範囲の何れかの温度であることを特徴とする、請求項５又は６に記載のナノ炭素材料複合体の製造方法。
【発明の詳細な説明】
【技術分野】
【０００１】
本発明は、強度補強材料、電子放出素子材料、電池の電極材料、電磁波吸収材料、触媒材料、或いは、光学材料としての応用が期待されるナノ炭素材料に関し、特に、導電性の粒子を核に持つナノ炭素材料複合体及びその製造方法に関する。
【背景技術】
【０００２】
ナノ炭素材料は、炭素のｓｐ2 混成軌道で構成された、ナノメートル（ｎｍ）サイズの微細形状を有することから、従来の材料を凌駕する、或いは、従来の材料にはない特性を有し、次世代の、強度補強材料、電子放出素子材料、電池の電極材料、電磁波吸収材料、触媒材料或いは光学材料としての応用が期待されている。
【０００３】
例えば、ナノ炭素材料はｓｐ2 混成軌道に基づく導電性を有しており、また、ナノメートルサイズの微細形状に基づくグラファイトエッジを高密度に有することから、電気二重層キャパシタ・電池の電極として応用すれば、従来の活性炭を電極とした電気二重層キャパシタ・電池よりも蓄電容量が大きくなることが報告されている（特許文献１参照）。
【０００４】
ところで、カーボンナノチューブ等のナノ炭素材料の合成方法としては、アーク放電法（非特許文献１参照）、化学気相成長法（非特許文献２参照）、或いは、固液界面接触分解法（特許文献２参照）等が知られているが、合成したナノ炭素材料を使用形態に加工する、例えば電池の電極の形状に加工する際には、黒鉛粒子や不定形炭素等のナノ炭素材料以外の炭素不純物を含んだ反応生成物中からナノ炭素材料を精製したり、或いは基板上に成長したカーボンナノチューブを掻き落として、必要な量のカーボンナノチューブを収集することが必要であり、低コストで大量にナノ炭素材料を使用した部材を製造することができなかった。
【０００５】
上記の課題を解決するナノ炭素材料として、粒子を核に持つナノ炭素材料及びその製造方法が開示されている（特許文献３参照）。この方法は、図５に示すように、表面が酸化されたダイヤモンド粒子上に触媒微粒子が担持されたダイヤモンド触媒粒子１２を包含する、垂直に配設された反応槽１３と、反応槽１３の下部及び上部にそれぞれ設けられた炭化水素からなるガス１４を導入する導入口１５と、ガス１４を排出する排出口１６と、反応槽１３を取り囲んで配設される加熱装置１７と、ダイヤモンド触媒粒子１２は通過させず、ガス１４は通過させるフィルター１８とからなる装置を用い、ダイヤモンド触媒粒子１２を、フィルター１８上に配置し、炭化水素からなるガス１４を導入口１５から所定の流量で導入すると共に排出口１６から排出し、ダイヤモンド触媒粒子１２を反応槽１３中で浮遊し且つ撹拌される状態とし、４００℃から６００℃の範囲で加熱して、ダイヤモンド触媒粒子１２に担持された触媒微粒子上にナノ炭素材料を成長する。この方法は、浮遊気相成長法と呼ばれ、この方法によれば、表面が酸化されたダイヤモンド粒子と、この表面に担持した遷移金属触媒と、遷移金属触媒から放射状に成長したナノ炭素繊維とから構成された、黒鉛粒子や不定形炭素等のナノ炭素材料以外の炭素不純物を含まない、マリモカーボンと呼ぶナノ炭素材料複合体が得られる。
このナノ炭素材料複合体をそのままナノ炭素材料として用いれば、反応生成物中からカーボンナノチューブを精製したり、或いは基板上に成長したカーボンナノチューブを掻き落として、必要な量のカーボンナノチューブを収集する必要ないので、低コストで大量にナノ炭素材料を使用した部材を製造することができる。
【特許文献１】特開２００５−１３６０２０号公報
【特許文献２】特開２００３−１２３１２号公報
【特許文献３】特開２００５−３３５９６８号公報
【非特許文献１】独立行政法人  産業技術総合研究所  ナノカーボン研究センター  編  「ナノカーボン材料」  丸善株式会社  平成１６年５月２５日発行，ｐｐ１８７−１９１
【非特許文献２】独立行政法人  産業技術総合研究所  ナノカーボン研究センター  編  「ナノカーボン材料」  丸善株式会社  平成１６年５月２５日発行，ｐｐ１９１−１９２
【発明の開示】
【発明が解決しようとする課題】
【０００６】
ところで、特許文献３のナノ炭素材料複合体に使用する核となる粒子はダイヤモンド粒子であり、ダイヤモンドは電気の絶縁体であるので、例えば、このナノ炭素材料複合体を電気二重層キャパシタ・電池、燃料電池、或いは、一般的な二次電池の電極材料として使用した場合には、ダイヤモンド粒子部分の電気抵抗が電極全体の抵抗値を大きくしてしまい、結果的に内部抵抗の大きな電池となってしまうと言う課題がある。
本発明者らは導電性を有する粒子を核とすればこの課題は解決できることに想到した。しかしながら、ナノ炭素材料の触媒合成反応は、触媒と触媒を担持する物質の組み合わせによって左右されるので、単に導電性物質からなる粒子を選択しただけではナノ炭素材料の触媒合成反応を生じさせることができない。因みに、従来のナノ炭素材料の触媒合成反応が生じ得る触媒と触媒を担持する物質の組み合わせは、触媒が遷移金属である場合に触媒を担持する粒子としてダイヤモンドの他に、シリカ（ＳｉＯ2 ）、アルミナ（Ａｌ2 Ｏ）、ジルコニア（ＺｒＯ2 ）、或いはゼオライトなどの金属酸化物粒子が知られているがいずれも絶縁物であり、導電性の物質からなる触媒担体粒子は知られていなかった。
本発明者らは、核となる粒子に導電性を有する酸化亜鉛（ＺｎＯ）粒子を用いることで、ナノ炭素材料が成長すること見いだし、本発明に到ったものである。
【０００７】
上記説明から理解されるように、本発明は、導電性を有する粒子を核とし、この粒子上にナノカーボン繊維が成長したナノ炭素材料を提供することを一目的とする。本発明の他の目的はその製造方法を提供することにある。
【課題を解決するための手段】
【０００８】
上記目的を達成するために本発明のナノ炭素材料は、導電性粒子と、この導電性粒子の表面に担持した遷移金属からなる触媒微粒子と、この触媒微粒子を担持した導電性粒子上に成長したナノ炭素繊維とからなることを特徴とする。
導電性粒子は、酸素空孔を有する酸化亜鉛粒子であれば好ましく、この場合には、酸化亜鉛粒子は酸素空孔を介した導電性を有する。
遷移金属からなる触媒微粒子は、Ｃｏ又はＮｉからなれば好ましい。触媒上に成長したナノ炭素繊維は、カーボンナノチューブ、カーボンナノフィラメント及びカーボンナノファイバーで成るグループから選択される何れか一つ又は複数であってよい。
【０００９】
本発明のナノ炭素材料の製造方法は、酸素空孔を有する酸化亜鉛粒子の表面に遷移金属触媒微粒子が担持された酸化亜鉛粒子を、炭化水素からなる気相中でナノ炭素繊維が合成される触媒反応温度に加熱し、この導電性粒子上にナノ炭素繊維を成長することを特徴とする。
気相中でのナノ炭素繊維の合成は、酸化亜鉛粒子を炭化水素からなる気相中で浮遊させて成長する方法であれば好ましく、この場合には、酸化亜鉛粒子から、均等に、放射状に、ナノ炭素繊維が成長したナノ炭素材料が得られる。
遷移金属触媒微粒子はＣｏ又はＮｉからなれば好ましい。酸化亜鉛粒子の粒径は１００μｍ以下であれば好ましい。炭化水素はエチレンであれば好ましい。
また、触媒反応温度は、好ましくは４００℃から７５０℃の温度範囲の何れかの温度である。
【発明の効果】
【００１０】
本発明のナノ炭素材料複合体は、導電性を有する粒子上に導電性を有する繊維状のナノカーボン材料が成長しているので、本発明のナノ炭素材料複合体を、電気二重層キャパシタ・電池、燃料電池、或いは、一般的な二次電池の電極材料として使用すれば、蓄電容量が大きいと共に内部抵抗が小さい電池を実現できる。また、電磁波吸収材料として用いれば、抵抗成分が小さいので、優れた電磁波吸収特性を実現できる。
本発明のナノ炭素材料複合体の製造方法によれば、導電性を有する粒子上に導電性を有する繊維状のナノカーボン材料が成長したナノ炭素材料複合体を製造できる。
【発明を実施するための最良の形態】
【００１１】
以下、本発明の最良の実施の形態を図面に基づいて詳細に説明する。
図１は本発明のナノ炭素材料複合体の構成を示す模式断面図である。図において、本発明のナノ炭素材料複合体１は、核となる導電性粒子２と、導電性粒子２上に担持した遷移金属触媒微粒子３と、触媒微粒子３を担持した導電性粒子２上に成長したナノ炭素繊維４とからなる。図１では、触媒微粒子３が導電性粒子２上に存在する場合を示しているが、これに限らず、触媒微粒子３はナノ炭素繊維４の中や表面に存在する場合もある。
【００１２】
次に、導電性粒子１が導電性を有する酸化亜鉛粒子である場合を例に取り、本発明のナノ炭素材料の製造方法を説明する。
導電性粒子１は、一般に市販されている酸化亜鉛粒子１を空気中又は真空中で焼結することによって得られる。穴径の異なるフィルターを用いて粒径毎に分級し、用途によって粒径を選択すれば好ましい。
【００１３】
遷移金属触媒微粒子３は、遷移金属塩溶液を用いた含浸法を用いることによって、導電性粒子２である酸化亜鉛粒子２上に担持させることができる。例えば、硝酸ニッケル等の飽和水溶液に酸化亜鉛粒子２を含浸し、一昼夜放置後、過剰な水を蒸発させて乾燥させ、空気中で焼成して遷移金属塩の分解と酸化をおこさせ、次に、遷移金属酸化物を水素中で還元すれば、粒径が１０〜１００ｎｍ程度の触媒金属微粒子３を酸化亜鉛粒子２上に担持することができる。
【００１４】
次に、図２に示すように、電気炉５中に遷移金属触媒微粒子３が担持された酸化亜鉛粒子２を配置し、炭化水素６からなるガスを流し、電気炉５をナノ炭素繊維が合成される触媒反応温度に加熱し、酸化亜鉛粒子２の表面の遷移金属触媒微粒子３上にナノ炭素材料４を成長させる。炭化水素６は、炭素数が１〜３０の炭化水素であり、メタン、エタン、プロパン等の飽和炭化水素の他、エチレンやアセチレン等の不飽和炭化水素でも良い。合成温度は、４００〜７００℃の範囲内のいずれかであることが好ましい。
また、図５に示した装置を用いて、遷移金属触媒微粒子３が担持された酸化亜鉛粒子２を炭化水素ガス中で浮遊させて合成すれば、酸化亜鉛粒子から、等方向的に均等に、且つ、放射状にナノ炭素繊維が成長したナノ炭素材料が得られる。
次に、実施例を説明する。
【実施例１】
【００１５】
市販（和光純薬工業製）の平均粒径５μｍの酸化亜鉛粒子を原料として用い、約３００℃、約１０分間の焼結により導電性粒子原料とした。遷移金属触媒微粒子は、Ｃｏの硝酸塩（Ｃｏ（ＮＯ3 ）2 ・６Ｈ2 Ｏ）水溶液を用いた含浸法により酸化亜鉛粒子上にＣｏ触媒微粒子を担持した。ここで、触媒の担持量は５ｗ％（重量％）とした。
次に、電気炉中に遷移金属触媒微粒子を担持した酸化亜鉛粒子を挿入し、アルゴンで希釈したエチレンガスを流し、約６５０℃、３０分加熱した。遷移金属触媒微粒子を担持した酸化亜鉛粒子の量は１００ｍｇ、エチレンとアルゴンの流量比は１：１、総流量は３０ｓｃｃｍとした。
【００１６】
図３は、本実施例において作製した、本発明のナノ炭素材料複合体の走査型電子顕微鏡（ＳＥＭ）像を示す図である。やや角を持った酸化亜鉛粒子の表面に、ほぼ均一に繊維状のナノ炭素材料が形成されていることがわかる。また、透過型電子顕微鏡（ＴＥＭ）により、繊維状のナノ炭素材料部分を観察したところ、カーボンナノチューブ、カーボンナノフィラメントおよびカーボンナノファイバーから成ることがわかった。
【実施例２】
【００１７】
市販（和光純薬工業製）の平均粒径５μｍの酸化亜鉛粒子を原料として用い、約３００℃、約１０分の焼結により導電性粒子原料とした。遷移金属触媒微粒子は、ニッケル（Ｎｉ）の硝酸塩（Ｎｉ（ＮＯ3 ）2 ・６Ｈ2 Ｏ）水溶液を用いた含浸法により酸化亜鉛粒子上にＮｉ触媒微粒子を担持した。ここで、触媒の担持量は５ｗ％とした。
次に、電気炉中に遷移金属触媒微粒子を担持した酸化亜鉛粒子を挿入し、アルゴンで希釈したエチレンガスを流し、約７００℃、３０分加熱した。遷移金属触媒微粒子を担持した酸化亜鉛粒子の量は１００ｍｇ、エチレンとアルゴンの流量比は１：１、総流量は３０ｓｃｃｍとした。
【００１８】
図４に本実施例において作製した、本発明のナノ炭素材料の走査型電子顕微鏡（ＳＥＭ）像を示す。やや角を持った酸化亜鉛粒子の表面に、ほぼ均一に繊維状のナノ炭素材料が形成されていることがわかる。また、透過型電子顕微鏡（ＴＥＭ）により、繊維状のナノ炭素材料部分を観察したところ、カーボンナノチューブ、カーボンナノフィラメントおよびカーボンナノファイバーから成ることがわかった。
【産業上の利用可能性】
【００１９】
上記説明から理解されるように、本発明のナノ炭素材料は、導電性粒子を核として繊維状のナノ炭素材料が成長しているので、例えば、電池の電極に用いれば、蓄電容量が大きく、且つ内部抵抗が小さい電池を実現できる。また、電磁波吸収体に用いれば、極めて効率よく電磁波を吸収できる。
【図面の簡単な説明】
【００２０】
【図１】本発明のナノ炭素材料複合体の構成を示す断面模式図である。
【図２】本発明のナノ炭素材料複合体の製造方法を示す図である。
【図３】本発明の実施例により作製されたナノ炭素材料複合体のＳＥＭ像である。
【図４】本発明の他の実施例により作製されたナノ炭素材料複合体のＳＥＭ像である。
【図５】従来のダイヤモンド微粒子を核としたナノ炭素材料複合体の製造に用いる装置を示す概略図である。
【符号の説明】
【００２１】
１  ナノ炭素材料複合体
２  酸化亜鉛粒子
３  遷移金属触媒微粒子
４  繊維状のナノ炭素材料
５  電気炉
６  炭化水素
１２  ダイヤモンド触媒粒子
１３  反応槽
１４  炭化水素
１５  導入口
１６  排出口
１７  電気炉
１８  フィルター
【図１】
2007246317.tif 000003
【図２】
2007246317.tif 000004
【図５】
2007246317.tif 000005
【図３】
2007246317.tif 000006
【図４】
2007246317.tif 000007